(57)【要約】【課題】  被照明部材を略均一な明るさで照明できる照明装置を提供する。【解決手段】  照明装置２４は、照明光Ｌを発する複数の点状光源２５と、被照明部材２３に照明光Ｌを導く導光部材２６と、を備える。導光部材２６は、点状光源２５から発せられた照明光Ｌを集光させる入射面２６ａと、複数の点状光源２５に各々対応する箇所に設けられた曲面からなり、入射面２６ａから入った照明光Ｌを更に集光させて反射させる反射面２６ｂと、を有する。導光部材２６の入射面２６ａは円柱面である。導光部材２６の反射面２６ｂは、円錐面である。導光部材２６は、反射面２６ａにて反射された前記照明光Ｌを更に反射させる第二の反射面２６ｃを有する。【選択図】図４
2008097901.tif 000002
【特許請求の範囲】
【請求項１】
照明光を発する複数の点状光源と、被照明部材に前記照明光を導く導光部材と、を備え、前記被照明部材を照明する照明装置であって、
前記導光部材は、前記点状光源から発せられた前記照明光を集光させる入射面と、複数の前記点状光源に各々対応する箇所に設けられた曲面からなり、前記入射面から入った前記照明光を更に集光させて反射させる反射面と、を有することを特徴とする照明装置。
【請求項２】
前記導光部材の前記入射面は、円柱面であることを特徴とする請求項１に記載の照明装置。
【請求項３】
前記導光部材の前記反射面は、円錐面であることを特徴とする請求項１に記載の照明装置。
【請求項４】
前記導光部材は、複数の前記反射面に各々対応する箇所に設けられた平面からなり、前記反射面にて反射された前記照明光を更に反射させる第二の反射面を有することを特徴とする請求項１に記載の照明装置。
【発明の詳細な説明】
【技術分野】
【０００１】
本発明は、照明装置に関するものであり、特に、液晶表示パネル等の被照明部材を照明する照明装置に関するものである。
【背景技術】
【０００２】
従来より、液晶表示パネル及びこの液晶表示パネルを透過照明するバックライト装置を備えた液晶表示装置が種々提案されており、例えば特許文献１に開示されている。液晶表示装置１は、液晶表示パネル２と、この液晶表示パネル２を透過照明するバックライト装置３と、からなるものである（図６参照）。バックライト装置３は、発光ダイオード４，導光部材５及び光拡散板６を備えている。液晶表示パネル２はバックライト装置３によって背面側から照明され、液晶表示装置１の使用者は、暗い場所においても、液晶表示パネル２の表示内容を視認することができる。
【特許文献１】特開２０００−３４０３８８号公報
【発明の開示】
【発明が解決しようとする課題】
【０００３】
しかしながら、前記バックライト装置３によって透過照明される液晶表示パネル２が均一な明るさにならない虞があった。つまり、バックライト装置３の発光ダイオード４から発せられた照明光Ｌが、導光部材５の内部においても放射状に広がるため、発光ダイオード４に近い箇所は明るく、発光ダイオード４から遠い箇所では比較的暗いという問題を有していた。
本発明は、この問題に鑑みなされたものであり、被照明部材を略均一な明るさで照明できる照明装置を提供するものである。
【課題を解決するための手段】
【０００４】
本発明は、請求項１に記載したように、照明光Ｌを発する複数の点状光源２５と、被照明部材２３に前記照明光Ｌを導く導光部材２６と、を備え、前記被照明部材２３を照明する照明装置２４であって、前記導光部材２６は、前記点状光源２５から発せられた前記照明光Ｌを集光させる入射面２６ａと、複数の前記点状光源２５に各々対応する箇所に設けられた曲面からなり、前記入射面２６ａから入った前記照明光Ｌを更に集光させて反射させる反射面２６ｂと、を有するものである。
【０００５】
また、本発明は、請求項２に記載したように、前記導光部材２６の前記入射面２６ａは、円柱面であるものである。
【０００６】
また、本発明は、請求項３に記載したように、前記導光部材２６の前記反射面２６ｂは、円錐面であるものである。
【０００７】
また、本発明は、請求項４に記載したように、前記導光部材２６は、複数の前記反射面２６ａに各々対応する箇所に設けられた平面からなり、前記反射面２６ａにて反射された前記照明光Ｌを更に反射させる第二の反射面２６ｃを有するものである。
【発明の効果】
【０００８】
点状光源が発した照明光を、導光部材の入射面及び反射面にて集光し、被照明部材を略均一な明るさで照明できる。
【発明を実施するための最良の形態】
【０００９】
以下、添付の図面に基づいて、本発明を車両用計器内に設けられた液晶表示器に適用した一実施形態について説明する。
８はハウジングであり、このハウジング８には後述する指示計器が収容されている。９は見返し部材であり、この見返し部材９は係止爪（図示しない）によりハウジング８に係止されている。
【００１０】
１０は透光性カバーであり、この透光性カバー１０は湾曲部１０ａ及びリブ部１０ｂを有している。透光性カバー１０はアクリル，ポリカーボネート等の透光性樹脂からなるものでる。透光性カバー１０は、リブ部１０ｂに設けられた係止爪（図示しない）により見返し部材９に係止されている。
【００１１】
ハウジング８には４個の指示計器、即ち、燃料計１１ａ，速度計１１ｂ，回転計１１ｃ，水温計１１ｄが収納されている。速度計１１ｂ及び回転計１１ｃは、燃料計１１ａ及び水温計１１ｄよりも大きくなっており、燃料計１１ａ及び水温計１１ｄの間に配置されている。見返し部材９は、燃料計１１ａ，速度計１１ｂ，回転計１１ｃ，水温計１１ｄに対応する円形の開口９ａ，９ｂ，９ｃ，９ｄを有している。
【００１２】
各指示計器１１ａ，１１ｂ，１１ｃ，１１ｄは、文字板１２，発光素子１３，導光部材１４，指針１５，ステッピングモータ１６及び回路基板１７を有している。文字板１２はＰＣ（ポリカーボネート）等の樹脂からなる透光性基板に、指標部１８に透過性インクからなる半透過層を印刷形成し、指標部１８を除いて黒色インクからなる遮光層を印刷形成したものである。発光素子１３及び導光部材１４は文字板１２の後方に配置されており、指標部１８は発光素子１３の光により透過照明される。指針１５はステッピングモータ１６により回動され、文字板１２の指標部１８を指示する。発光素子１３の光は導光部材１４の反射面１４ａにより指針１５に導かれ、指針１５の指示部１９が光輝する。
【００１３】
２０は液晶表示器であり、この液晶表示器２０は速度計１１ｂの文字板１２の後方に配設されている。文字板１２には矩形の開口１２ａが形成されており、液晶表示器２０は開口１２ａに対応する位置に配置されている。２２はケース体であり、このケース体２２で液晶表示器２０が保持されている。液晶表示器２０は、液晶表示パネル２３とバックライト装置２４とからなるものである（図５参照）。バックライト装置２４は、発光ダイオード２５，導光部材２６及び光拡散板２７を備えている。発光ダイオード２５は、配線板２８に搭載されている。
【００１４】
次に、図４に基づいて、バックライト装置２４の導光部材２６について詳述する。図４（ａ）は、導光部材２６の断面図であり、紙面横方向をＸ軸、紙面縦方向をＺ軸、紙面垂直方向をＹ軸として説明する。図４（ｂ）は、導光部材２６を背面側から見た図であり、紙面横方向がＸ軸、紙面縦方向がＹ軸、紙面垂直方向がＺ軸になっている。図４（ｃ）は、導光部材２６を出射面側から見た図であり、紙面横方向がＸ軸、紙面縦方向がＹ軸、紙面垂直方向がＺ軸になっている。
導光部材２６は、ＰＭＭＡ（所謂アクリル）等の透光性樹脂からなるものであり、発光ダイオード２５が発した照明光Ｌを受光する受光部２６Ｌと、この受光部２６によって導かれた照明光Ｌにて被照明部材である液晶表示パネル２３を照明する照明部２６Ｈと、を有している。
【００１５】
導光部材２６の受光部２６Ｌは、入射面２６ａ，第一の反射面２６ｂ，第二の反射面２６ｃを有している。入射面２６ａは、凸形状の円柱面になっており、発光ダイオード２５が発した照明光Ｌが集光されて入射する。第一の反射面２６ｂは、Ｚ軸を中心軸とする円錐面になっており、複数の発光ダイオード２５に各々対応する箇所に設けられている。第一の反射面２６ｂは、外観的には凸形状になっているが、光学的には凹面になっており、入射面２６ａから入射した照明光Ｌを更に集光させて、第二の反射面２６ｃに向けて反射させる。第二の反射面２６ｃは、平面になっており、複数の第一の反射面２６ｂに各々対応する箇所に設けられている。
導光部材２６の照明部２６Ｈは、断面略楔形状になっており、背面２６ｄ，出射面２６ｅを有している。出射面２６ｅは、光拡散板２７及び液晶表示パネル２３に対向する平面になっている。
【００１６】
発光ダイオード２５が発した光は放射状に広がっているが、導光部材２６の入射面２６ａにて屈折し、Ｙ軸視で集光される。ただし、Ｚ軸視では放射状に広がっている（図４（ｂ）参照）。入射面２６ａから入射した照明光Ｌは、第一の反射面２６ｂにて反射され、Ｘ軸視で集光される。第一の反射面２６で反射された照明光Ｌは、第二の反射面２６ｃにて更に反射されて、照明部２６Ｈに導かれる。
【００１７】
本実施形態のバックライト装置２４によれば、発光ダイオード２５から発せられた照明光Ｌを、導光部材２６の入射面２６ａにて集光すると共に、導光部材２６の第一の反射面２６ｂにて更に集光することができ、導光部材２６の照明部２６Ｈにて、被照明部材である液晶表示パネル２３を略均一な明るさで照明することができる。
【図面の簡単な説明】
【００１８】
【図１】本発明の実施形態を示す車両用計器の正面図。
【図２】同上実施形態を車両用計器の断面図。
【図３】同上実施形態を示す液晶表示装置の正面図。
【図４】同上実施形態を示す導光部材の断面図，背面図及び正面図。
【図５】同上実施形態を示す液晶表示装置の断面図。
【図６】従来例を示す断面図。
【符号の説明】
【００１９】
２３    液晶表示パネル（被照明部材）
２４    バックライト装置（照明装置）
２５    発光ダイオード
２６    導光部材
２６ａ  入射面
２６ｂ  第一の反射面（反射面）
２６ｃ  第二の反射面
Ｌ    照明光
【図１】
2008097901.tif 000003
【図２】
2008097901.tif 000004
【図３】
2008097901.tif 000005
【図４】
2008097901.tif 000006
【図５】
2008097901.tif 000007
【図６】
2008097901.tif 000008